(57)【要約】      （修正有）【課題】ポンプディスペンサー付き液体容器（以下ポンプ付容器と表記する）について以下３項目を改良する。（１）液剤入りのパウチを内装可能とする（２）液剤をパウチ内に残さず最後まで使いきる（３）外部から水がパウチに浸入しない【解決手段】パウチ８収納部の上部で断面積が十分大きい位置に蓋２を脱着するねじ部３を設け、ここに脱着する蓋２にポンプ部５を組み付ける。加えてパウチ８の底部形状と底部の位置を保持するための突起４１をパウチ８収納部の底部に設け、さらにパウチ開口部をポンプ５に固定しながら外気をパウチに導く穴又は管路５１を持った固定具６１を設ける。そして上記突起４１等で固定され形状を保持されたパウチの底部に接する長さの吸い上げパイプ７を設け、その先端を逆王冠形状として吸上げパイプ７先端の円周上何か所かでパウチ底部に接しながら、閉塞することなく残留量１〜２ｍｍの深さまで液剤の吸上げができるようにする。【選択図】図３
2017137120.tif 000002
【特許請求の範囲】
【請求項１】
液体を充填したパウチを収納するパウチ収納部を有するポンプ付容器であって、パウチ収納部の底部にパウチの底部溶着部分に係合する突起を設けたことを特徴とするポンプ付容器。 
【請求項２】
前記突起はパウチ収納部の底部中央へ延び、突起の高さは周辺部より中央の方が低いことを特徴とする請求項１のポンプ付容器。 
【請求項３】
前記突起は放射状または平行に配列されたリブ構造であることを特徴とする請求項１または請求項２のポンプ付容器。 
【請求項４】
前記突起はパウチの左右４枚溶着部の両上端からパウチ底部中央に向かって直線的に伸びるV字形状となっていることを特徴とする、請求項１〜３いずれかのポンプ付容器。
【請求項５】
パウチ収納部の下部に空気取り入れ孔と底部に水抜き穴を設けていることを特徴とする請求項１ないし４いずれかのポンプ付容器。 
【請求項６】
前記ポンプ付容器は吸上げパイプを有し、その下端は倒立王冠形状とされていることを特徴とする請求項１ないし４いずれかのポンプ付容器。
【請求項７】
ポンプ付容器のポンプはその吸上げパイプとパウチ上部が固定されかつパウチ内に空気を送る外気導入パイプを有することを特徴とする請求項１ないし６のいずれかのポンプ付容器。
【発明の詳細な説明】
【技術分野】
【０００１】
本件発明はシャンプーや洗剤などの容器として家庭用・業務用などに広く普及している、ポンプディスペンサー付き液体容器(以下ポンプ付容器と表記）の改良に関する発明である。
【背景技術】
【０００２】
シャンプー、リンス、ボディソープなど家庭用の粘稠な液体製品はほぼ１００％ポンプ付容器に充填されて使用されている。また粘性の低い液体製品ではスプレーポンプ付容器も使われている。 これらの製品の内容液を使い切った時、内容液を再充填し、ポンプ付容器をリユースするように柔弱な袋に内容液だけを密封したものが「詰め替え用」として販売されており、そのほとんどはスタンディングパウチ（以下パウチと表記）である。 
これらポンプ付容器またはスプレーポンプ付き容器とパウチの２種の包装形態を組合わせて同一液剤を併売することが液剤製品の主流な販売スタイルとなっている。
【先行技術文献】
【特許文献】
【０００３】
【特許文献１】特開平１１−１６５７３７
【特許文献２】特願平１０−１８９９３４
【特許文献３】特開平５−８５５６０
【特許文献４】特開平７−１７２４６６
【特許文献５】特開２００７−２９７０７５
【特許文献６】特開平１１−３３４７５８
【特許文献７】実開平６−５４５４３
【特許文献９】特開平９−８６５６４
【特許文献１０】特開平１０−３５７０７
【特許文献１１】特願２０１０−１９５３８３
【特許文献１２】特開２０１１−６８３８８
【特許文献１３】特開平８−３１０５７５
【特許文献１４】特開２００２−４６７５４
【特許文献１５】特開２００４−５１２２４
【特許文献１６】特許第４２５００３７号
【特許文献１７】特開２０００−２０３６１１
【特許文献１８】実開平７−４０５１５
【特許文献１９】実登３１６５９８４
【特許文献２０】特開２０１３−６０２３１
【特許文献２１】特開２００３−２３７８１７
【特許文献２２】特開２０００−７０７７６
【特許文献２３】実開平６−２５１４９
【特許文献２４】特願２００９−０８７８７６
【特許文献２５】実開平０６−０３００６５
【特許文献２６】特願２００９−０８７８７６
【特許文献２７】実開平０６−０３００６５
【非特許文献】
【０００４】
花王株式会社  ２０１５年１１月１０日  ニュースリリース 
使いやすさと環境配慮を両立した新容器  つめかえ用“ラクラクパック”を開発
http://www.kao.com/jp/corp_news/2015/20151110_001.html
【発明の概要】
【発明が解決しようとする課題】
【０００５】
ポンプ付容器はシャンプーや洗剤などの容器として家庭用・業務用などに広く普及している。本発明は液剤の面倒な詰め替え作業を解消すると同時にパウチ内に残留する液剤を可及的に減少させことを課題とする。
【課題を解決するための手段】
【０００６】
本発明は上記課題を解決するためポンプ付容器の液剤収納容器部（以下  パウチ収納部と表記）にパウチ底部の溶着部分に係合する突起を設けたことを特徴とする。
【発明の効果】
【０００７】
本発明のポンプ容器によれば、面倒な液剤の詰め替え作業から解放され、また短時間転倒させてもパウチ収納部内に液剤を漏出させず、そしてパウチ内に残留する液剤の量をも最少限まで少なくでき、しかも外部から湯水がパウチ内に侵入せず、清潔に最後まで使い切れる。
【図面の簡単な説明】
【０００８】
【図１】スタンディングパウチの標準的な全体外観を示す図
【図２】スタンディングパウチの底部形状の斜視図と断面図
【図３】ポンプ付容器の全体図、パウチ固定具はクランプ型を搭載した例
【図４】ポンプ付容器の各部形状を示す図、パウチ収納部の底部および吸上げパ            イプ先端の倒立王冠形状を断面で示す図
【図５】ポンプ付容器の底部突起４１の別形態を示す図
【図６】パウチ固定具６Ｙ、船型タイプの形状を示す図
【図７】パウチにねじ式開口部がある場合のねじ式固定具及び、スリーブ６５、            吸い上げパイプと外気導入路を一体に成型した場合のパイプ断面形状３例
【図８】クランプ型のパウチ固定具６の図、閉じ状態と半開状態の３面図
【図９】パウチ固定具６Ｘ、ゴム栓タイプ
【図１０】パウチ底部の形状、正立時の通常形状（円筒形状）および請求項４の              突起によりパウチ中心部がさらに低く変形された形状を示す図
【符号の説明】
【０００９】
１    ：ポンプ吐出部／押し下げ部 
２    ：蓋 
３    ：ポンプ取り付けねじ 
４    ：液剤収納容器部（パウチ収納部） 
５    ：ポンプシリンダー 
６    ：パウチ固定具・クランプ型 
６Ｘ  ：パウチ固定具・ゴム栓型 
６Ｙ  ：パウチ固定具・船型 
７    ：吸上げパイプ 
８    ：スタンディングパウチ（パウチ） 
１１  ：ステム 
１２  ：蓋取付けねじ 
４１  ：パウチ底部固定突起 
４２  ：空気取り入れ孔
４３  ：水抜き孔
５１  ：外気導入パイプ「シリンダーと一体に作られた例」 
５１ａ：外気導入穴上部開口 
５１ｂ：外気導入穴下部開口 
６１  ：パウチ固定具、ポンプシリンダーまたは吸い上げパイプ挿入部 
６２  ：パウチ固定具クランプ部 
６２ａ：パウチ固定具クランプ突起 
６５  ：ねじキャップ用スリーブ 
７１  ：吸上げパイプ先端王冠部 
８１  ：溶着部分
８２  ：４枚溶着部分
８３  ：２+２枚溶着部分
【発明を実施するための形態】
【００１０】
図１ないし図２にスタンディングパウチの１例を示す。パウチ８はフィルムが袋状に形成されその下部に「マチ」が形成されている。そしてその外周でフィルムが溶着されて溶着部分８１となっている。左右の溶着部分８３の下部はマチを形成するフィルムも一体的に溶着され、４枚溶着部８２となっている
図３ないし図４は第一実施例を示すものである。
図１ないし図２に示すようなパウチ８の底部形状を自立形状のまま保ち、かつパウチ収納部４の中央にパウチ底部の溶着部分８１、８２に係合する突起４１を設けることで、転倒時にもパウチ８が自重潰れをしにくくなり、内容液の漏出がしにくくなる。またこの突起４１は吸上げパイプ先端７１とほぼ接する高さにありパイプ先端７１との間にパウチ底部のフィルムを挟み込む。 パウチ底部の最深部で吸上げパイプ７と接することで、パウチに残留する液剤を最少にする。また突起４１により転倒時にもパウチ底部形状が保たれて、正立に戻した時の最深部からの吸い上げ機能を保つ働きをする。
また使用中にパウチ８内に負圧が発生するとパウチを形成するフィルムが近接または密着し液剤が毛管現象により残留しやすくなるが、パウチ８の底部形状が突起４１により規制されているため、フィルムの近接又は密着も抑制でき、液剤の残留を可及的に減少できる。
容器内の減圧を防ぐため、吐出した液剤の容積分だけ外気を導入することが望ましいが、飛散水がパウチに浸入する可能性を出来る限り少なくするため、ポンプ容器の上部ではステム１１の摺動部、ポンプ-容器蓋接合部とも水を遮断する構造とする一方、下部ではパウチ開口部より十分に低い位置で空気取り入れ穴４２を設けて積極的に外気を取り入れる構造として負圧発生による上部の密閉破れを防止する、しかも下部空気取り入れ穴４２から飛散水が浸入しても底部から排出するように水抜き穴４３をも設け、万一にも侵入した水や結露が貯まらないようにして、転倒などさせた場合で もパウチ開口部に侵入水が触れないようにする。
パウチの開口部を高い位置に固定するため固定具６を設ける。液剤の吐出につれてパウチが潰れてフィルム密着により液剤が毛管現象で残留するのを防ぐために、パウチ内部に外気を導入するように固定具６またはポンプには外気流入経路を設けるが、この流入経路から転倒時にも液剤が漏出しないよう、逆流防止弁あるいはポンプ上部に達する長い管路５１のいずれかを設ける。
吸上げパイプ７の長さを前述の突起４１の中央にほぼ接する長さに設け、パイプ先端を水平カットのうえ７１の例のような倒立王冠形状とし、パウチの深部から残留をほとんど なく吸上げできるパイプとする。
図５は突起４１の変形例を示すものである。第一実施例では突起４１をパウチ収納部４の底部形状で形成したが、図のようなリブで形成しても良い。
図１０はリブ形状の変形例を示すものである。この突起４１は中央部が直線状のＶ字形状に切り欠かれることでパウチ底部のフィルムを同形状にするものである。これによりパウチ底部の最も低い領域が小さくなり、より液剤の残留を少なくできる。
【産業上の利用可能性】
【００１１】
家庭用液体洗剤のいくつかのカテゴリーで市場普及のほぼ全てを占める使用形態の容器であり、過去も現在も多くの改良が試みられているテーマであり、利用されることは必然である。
【図１】
2017137120.tif 000003
【図２】
2017137120.tif 000004
【図３】
2017137120.tif 000005
【図４】
2017137120.tif 000006
【図５】
2017137120.tif 000007
【図６】
2017137120.tif 000008
【図７】
2017137120.tif 000009
【図８】
2017137120.tif 000010
【図９】
2017137120.tif 000011
【図１０】
2017137120.tif 000012
【手続補正書】
【提出日】平成28年9月6日(2016.9.6)
【手続補正１】
【補正対象書類名】特許請求の範囲
【補正対象項目名】全文
【補正方法】変更
【補正の内容】
【特許請求の範囲】
【請求項１】
左右の溶着部分とマチが形成された下部の溶着部分を有するパウチの左右の下部は前記両溶着部分が一体に溶着された４枚溶着部分とされるとともにその内部に液体を充填した前記パウチを収納するパウチ収納部を有するポンプ付容器であって、パウチ収納部の底部にパウチの底部溶着部分に係合する突起を設け、前記突起はパウチの４枚溶着部の両上端の左右から、パウチの底部中央に向かって直線的に伸びるV字形状をなしており、正立時の通常形状よりもパウチの底部の中央部をより低く変形させることを特徴とするポンプ付容器
【請求項２】
前記突起は放射状または平行に配列されたリブ構造であることを特徴とする請求項１のポンプ付容器。
【手続補正２】
【補正対象書類名】明細書
【補正対象項目名】０００８
【補正方法】変更
【補正の内容】
【０００８】
【図１】スタンディングパウチの標準的な全体外観を示す図
【図２】スタンディングパウチの底部形状の斜視図と断面図
【図３】ポンプ付容器の全体図、パウチ固定具はクランプ型を搭載した例
【図４】ポンプ付容器の各部形状を示す図、パウチ収納部の底部および吸上げパ            イプ先端の倒立王冠形状を断面で示す図
【図５】ポンプ付容器の底部突起４１の別形態を示す図
【図６】パウチ固定具６Ｙ、船型タイプの形状を示す図
【図７】パウチにねじ式開口部がある場合のねじ式固定具及び、スリーブ６５、            吸い上げパイプと外気導入路を一体に成型した場合のパイプ断面形状            ３例
【図８】クランプ型のパウチ固定具６の図、閉じ状態と半開状態の３面図
【図９】パウチ固定具６Ｘ、ゴム栓タイプ
【図１０】パウチ底部の形状、正立時の通常形状（円筒形状）および請求項１の              突起によりパウチ中心部がさらに低く変形された形状を示す図